(57)【特許請求の範囲】
【請求項１】
光複合電力ケーブル（１０Ａ、１０Ｂ）の電力ケーブル接続部（１８）に挿通される筒状の電力ケーブル接続箱（２０）を、軸線方向に連結される二つ接続箱（２０ａ、２０ｂ）で構成し、そのうちの一方の接続箱であり、他方の接続箱の軸線方向の長さより軸線方向の長さが長い第一の接続箱（２０ａ）の一部に、当該第一の接続箱（２０ａ）の内部と底板（２６）によって仕切られた外部に開口する光ケーブル接続部収納部（２２）を一体に設け、この収納部の底板（２６）に前記第一の接続箱（２０ａ）内から当該収納部（２２）内に通じる光ケーブル挿通孔（２８）を設け、さらに前記収納部（２２）の開口部を密閉する蓋（３４）を設け、
前記光ケーブル挿通孔（２８）は、両方とも前記底板（２６）の下側の光ケーブル挿入口が前記底板（２６）の上側の光ケーブル出口よりも第一の接続箱（２０ａ）の内端側に位置するように、電力ケーブル接続部軸線方向に対して斜めに形成され、
接続すべき光ケーブル（１６Ａ、１６Ｂ）は、前記第一の接続箱（２０ａ）の内端側から各々、ガイドパイプ（３０）に挿入され前記光ケーブル挿通孔（２８）に挿入されて、光ケーブル接続部収納部（２２）に導入され、光ケーブル接続部収納部（２２）内の光ケーブル接続部収納ケース（４０）では、光ケーブル（１６Ａ、１６Ｂ）を接続した接続部が収納され、光ケーブル（１６Ａ、１６Ｂ）の余長は光ケーブル接続部収納部（２２）内又は光ケーブル接続部収納ケース（４０）内に収納される、
ことを特徴とする光複合電力ケーブル用接続箱。
【請求項２】
光ケーブル挿通孔（２８）は光ケーブル接続部収納部の底板を電力ケーブル接続部軸線方向に対して斜めに貫通する光ケーブルガイドパイプ（３０）で構成され、このガイドパイプの内端側は第一の接続箱（２０ａ）の内面に沿って第一の接続箱（２０ａ）の内端側の光ケーブルが挿入し易い位置まで延びており、
接続すべき光ケーブル（１６Ａ、１６Ｂ）は、両方とも前記第一の接続箱（２０ａ）の内端側から前記ガイドパイプ（３０）に挿入されて、光ケーブル接続部収納部（２２）に導入されるようになっている、
ことを特徴とする請求項１記載の光複合電力ケーブル用接続箱。
【発明の詳細な説明】
【技術分野】
【０００１】
本発明は、電力ケーブルに光ケーブルを複合した光複合電力ケーブルの接続に用いる接続箱に関するものである。
【背景技術】
【０００２】
光複合電力ケーブル用接続箱には外部接続式と内部接続式とがある。外部接続式は、電力ケーブル接続箱の外部に光ケーブル接続箱を別に設置し、電力ケーブル接続箱に形成された孔から光ケーブルをいったん外部に引き出し、引き出された光ケーブルを接続して、その接続部を光ケーブル接続箱に収納する方式である（特許文献１参照）。一方、内部接続式は、電力ケーブル接続箱内に光ケーブル接続部収納スペースを設けて、光ケーブル接続部を電力ケーブル接続箱内に収納する方式である（特許文献２参照）。
【０００３】
【特許文献１】特開平５−２３６６３０号公報
【特許文献２】特開平８−２２３７６５号公報
【発明の開示】
【発明が解決しようとする課題】
【０００４】
電力ケーブルの接続作業と光ケーブルの接続作業は、技術者が異なるので、別々に行われる。外部接続式では、電力ケーブルを接続した後、光ケーブルを接続するまでの間、外部に引き出されている光ケーブルを保護する措置が必要になる。また外部接続式では、電力ケーブル接続箱と光ケーブル接続箱の間で光ケーブルが外部環境に露出するため、この間の光ケーブルを保護する必要があると共に、両接続箱の光ケーブル貫通部に防水処理を施す必要が生じる。また光ケーブル接続箱を電力ケーブル接続箱等に固定するための固定部材が必要になる。さらに両接続箱を設置した後の作業、保守、点検時に、外部に引き回された光ケーブルが損傷を受けるおそれもある。
【０００５】
一方、内部接続式では、電力ケーブル接続箱内に、光ケーブル引き回しスペースや光ケーブル接続部収納スペースを確保する必要があるため、電力ケーブル接続箱が大型化するという難点がある。また内部接続式の場合は、電力ケーブルの接続作業の途中で光ケーブルの接続作業を行うことになるが、一般に電力ケーブル接続技能者と光ケーブル接続技能者は別部隊に編成されているため、光ケーブル接続技能者は電力ケーブルの接続作業が途中まで進行するまでの間、現場に待機しなければならず、きわめて非効率的である。
【０００６】
本発明の目的は、光ケーブルの保護が確実で、接続箱の大型化が回避でき、電力ケーブル接続作業終了後の任意の時期に光ケーブル接続作業を行うことが可能な光複合電力ケーブル用接続箱を提供することにある。
【課題を解決するための手段】
【０００７】
本発明に係る光複合電力ケーブル用接続箱は、光複合電力ケーブルの電力ケーブル接続部に挿通される筒状の電力ケーブル接続箱を、軸線方向に連結される二つ接続箱で構成し、そのうちの一方の接続箱であり、他方の接続箱の軸線方向の長さより軸線方向の長さが長い第一の接続箱の一部に、当該第一の接続箱の内部と底板によって仕切られた外部に開口する光ケーブル接続部収納部を一体に設け、この収納部の底板に前記第一の接続箱内から当該収納部内に通じる光ケーブル挿通孔を設け、さらに前記収納部の開口部を密閉する蓋を設け、
前記光ケーブル挿通孔は、両方とも前記底板の下側の光ケーブル挿入口が前記底板の上側の光ケーブル出口よりも第一の接続箱の内端側に位置するように、電力ケーブル接続部軸線方向に対して斜めに形成され、
接続すべき光ケーブルは、前記第一の接続箱の内端側から各々、ガイドパイプに挿入され前記光ケーブル挿通孔に挿入されて、光ケーブル接続部収納部に導入され、光ケーブル接続部収納部内の光ケーブル接続部収納ケースでは、光ケーブルを接続した接続部が収納され、光ケーブルの余長は光ケーブル接続部収納部内又は光ケーブル接続部収納ケース内に収納される、
ことを特徴とするものである（請求項１）。
【０００９】
本発明に係る光複合電力ケーブル用接続箱において、光ケーブル挿通孔は光ケーブル接続部収納部の底板を貫通する光ケーブルガイドパイプで構成され、このガイドパイプの内端側は電力ケーブル接続箱の内面に沿って光ケーブルが挿入し易い位置まで延びていることが好ましい（請求項２）。
【発明の効果】
【００１０】
請求項１の発明によれば、光ケーブル接続部収納部の底板に設けた光ケーブル挿通孔を通して光ケーブルを電力ケーブル接続箱内から光ケーブル接続部収納部内に導入することができ、しかも光ケーブル接続部収納部は開口部を蓋で密閉できるようになっているので、光ケーブルが外部環境にさらされずに済み、光ケーブルの保護が確実である。また光ケーブル接続部収納部は電力ケーブル接続箱の一部に設ければよいので、電力ケーブル接続箱の大型化を回避できる。さらに、電力ケーブルの接続作業は、電力ケーブルを接続し、光ケーブルを光ケーブル接続部収納部に導入して蓋を閉じることで完了させることができ、光ケーブルの接続作業は、その後の任意の時期に蓋を開いて行うことができる。このため、電力ケーブル接続作業と光ケーブル接続作業を完全に分離することができ、光複合電力ケーブルの接続作業を効率よく行うことができる。
【００１１】
また、請求項１の発明によれば、光ケーブルをゆとりのある曲げ半径で無理なく電力ケーブル接続箱内から光ケーブル接続部収納部内に導入することができると共に、電力ケーブル接続箱からの光ケーブル接続部収納部の突出高さを低くすることができる。
【００１２】
請求項２の発明によれば、光ケーブルをガイドパイプに送り込むだけで、光ケーブルを電力ケーブル接続箱内から光ケーブル接続部収納部内に導入できるので、光ケーブル接続部収納部への光ケーブル導入作業をより簡単に効率よく行うことができる。
【発明を実施するための最良の形態】
【００１３】
図１は本発明の一実施形態を示す。図において、１０Ａ、１０Ｂは接続すべき光複合電力ケーブル、１２は光複合電力ケーブル１０Ａ、１０Ｂの接続に用いる光複合電力ケーブル用接続箱、１４Ａ、１４Ｂは光複合電力ケーブル１０Ａ、１０Ｂの外被を剥いで露出させた電力ケーブルコア、１６Ａ、１６Ｂは同じく露出させた光ケーブル、１８は電力ケーブルコア１４Ａ、１４Ｂを接続してなる電力ケーブル接続部、２０は電力ケーブル接続部１８を覆う筒状の電力ケーブル接続箱、２２は電力ケーブル接続箱２０の一部に一体に設けられた光ケーブル接続部収納部である。
【００１４】
電力ケーブル接続箱２０は、軸線方向の中間部より一端側へ片寄った位置で分割され、軸線方向に長い第一の接続箱２０ａと、短い第二の接続箱２０ｂとで構成されている。第一の接続箱２０ａと第二の接続箱２０ｂは両者の内端部（分割部）を嵌合させることにより連結できるようになっている。第一の接続箱２０ａと第二の接続箱２０ｂの外端部（電力ケーブル接続箱２０の両端部）は、光複合電力ケーブル１０Ａ，１０Ｂの外径に合うように縮径されている。光ケーブル接続部収納部２２は第一の接続箱２０ａに形成されている。
【００１５】
光ケーブル接続部収納部２２は、第一の接続箱２０ａの周壁から外向きに立ち上がるように形成された囲い壁２４と、囲い壁２４の内側の基部に形成された底板２６とで、外部に開口するように構成されている。底板２６は電力ケーブル接続箱２０内の空間と光ケーブル接続部収納部２２内の空間を仕切るものである。この実施形態では、底板２６を設けた部分は、第一の接続箱２０ａの周壁が除去されている（周壁に穴があいている）が、同部分の周壁はそのまま残されていてもよい。また底板２６は第一の接続箱２０ａの周壁で構成されていてもよい。
【００１６】
底板２６には、電力ケーブル接続箱２０内から光ケーブル接続部収納部２２内に通じる光ケーブル挿通孔２８が形成されている。この光ケーブル挿通孔２８は電力ケーブル接続部軸線方向に対して斜めに形成されている。より具体的には、光ケーブル挿通孔２８は底板２６を斜めに貫通する光ケーブルガイドパイプ３０で構成されている。このガイドパイプ３０の内端側は、光ケーブル１６Ａ、１６Ｂの挿入を容易にするため、第一の接続箱２０ａの内面に沿って同接続箱２０ａの内端付近（開口端付近）まで延びている。ガイドパイプ３０は接続すべき光ケーブルの本数分だけ設けられる。
【００１７】
また、囲い壁２４の開口端側の外周にはフランジ３２が一体に形成され、このフランジ３２に、光ケーブル接続部収納部２２の開口部を密閉する蓋３４が取り付けられるようになっている。３６は蓋３４をフランジ３２に固定するネジ、３８はフランジ３２と蓋３４間を水密に保持するパッキングである。
【００１８】
光ケーブル接続部収納部２２内には光ケーブル接続部収納ケース４０が設置される。両側の光複合電力ケーブル１０Ａ、１０Ｂの端部に露出させた光ケーブル１６Ａ、１６Ｂは、ガイドパイプ３０を通して光ケーブル接続部収納部２２内に導入される。光ケーブル接続部収納部２２内に導入された光ケーブル１６Ａ、１６Ｂは、そこで接続されて、その接続部とケーブル余長は光ケーブル接続部収納ケース４０内に収納される。
【００１９】
次に、この光複合電力ケーブル用接続箱１２を用いた光複合電力ケーブルの接続方法を説明する。まず接続前に、第一の接続箱２０ａを一方の光複合電力ケーブル１０Ａの外周に、第二の接続箱２０ｂを他方の光複合電力ケーブル１０Ｂの外周に挿通しておく。その後、光複合電力ケーブル１０Ａ、１０Ｂの外被を剥いで、電力ケーブルコア１４Ａ、１４Ｂ及び光ケーブル１６Ａ、１６Ｂを露出させる。次いで電力ケーブルコア１４Ａ、１４Ｂを接続して電力ケーブル接続部１８を形成する。
【００２０】
その後、第一の接続箱２０ａを引き戻して、その外端部（縮径部）を一方の光複合電力ケーブル１０Ａの外周に固定し、防水処理４２を施す。次いで光ケーブル１６Ａ、１６Ｂをガイドパイプ３０に挿入し、光ケーブル接続部収納部２２内に導入する。このとき、ガイドパイプ３０は底板２６を斜めに貫通しているため、光ケーブル１６Ａ、１６Ｂはゆとりのある曲げ半径で無理なく光ケーブル接続部収納部２２内に導入することができる。光ケーブル１６Ａ、１６Ｂの余長は、光ケーブル接続部収納部２２内又は光ケーブル接続部収納ケース４０内に収納し、光ケーブル接続部収納部２２は蓋３４を被せて密閉する。
【００２１】
その後、第二の接続箱２０ｂを引き戻し、その内端部を第一の接続箱２０ａの内端部と嵌合させ、嵌合部の外周に防水処理４４を施す。さらに第二の接続箱２０ｂの外端部（縮径部）を他方の光複合電力ケーブル１０Ｂの外周に固定し、防水処理４６を施せば、電力ケーブルの接続が完了する。この状態で電力ケーブル接続技能者は現場を引き上げる。光ケーブル接続部収納部２２は蓋３４で密閉できるので、電力ケーブル接続箱２０内に湿気などが浸入するおそれはない。
【００２２】
その後、適当な時期に光ケーブル接続技能者が現場に来て、蓋３４をあけ、光ケーブル１６Ａ、１６Ｂを接続した後、その接続部と光ケーブル余長を光ケーブル接続部収納ケース４０に収納し、蓋３４を閉じる。これで光ケーブル１６Ａ、１６Ｂの接続が完了する。このように、光ケーブル１６Ａ、１６Ｂの接続は、電力ケーブル接続後の任意の時期に行うことができるため、光ケーブル接続技能者は電力ケーブル接続時に現場で待機する必要がなく、効率よく作業を行うことができる。
【図面の簡単な説明】
【００２３】
【図１】本発明に係る光複合電力ケーブル用接続箱を使用状態で示す、（Ａ）は半分切開側面図、（Ｂ）は横断面図。
【符号の説明】
【００２４】
１０Ａ、１０Ｂ：光複合電力ケーブル
１２：光複合電力ケーブル用接続箱
１４Ａ、１４Ｂ：電力ケーブルコア
１６Ａ、１６Ｂ：光ケーブル
１８：電力ケーブル接続部
２０：電力ケーブル接続箱
２０ａ：第一の接続箱
２０ｂ：第二の接続箱
２２：光ケーブル接続部収納部
２４：囲い壁
２６：底板
２８：光ケーブル挿通孔
３０：光ケーブルガイドパイプ
３４：蓋
４０：光ケーブル接続部収納ケース
【図１】
0004690821.tif 000002